(57)【要約】【課題】ボルトのナットからの突出長さを規制し得るソケットと、このソケットを用いて定規に貫通させたアンカーボルトの高さを調整する。【解決手段】ソケットは、ナットを嵌合して回転力を伝えるナット嵌合部２と、ナット嵌合部２に一体的に連続し内部に収容空間３を有する本体１（筒部）と、本体１に回転駆動力が伝達される伝達部６と、ボルトの長さを規制する規制部材４と固定部材５とを有する。アンカーボルトの高さ調整方法は、建物の基礎に対し水平に配置された定規に基準となる高さに設定された基準アンカーボルトを予め固定しておき、ソケットを基準アンカーボルトに嵌合させて規制部材を当接させて固定し、該ソケットを定規に遊嵌されているアンカーボルトに嵌合して、該アンカーボルトの定規からの高さを調整する。【選択図】       図３
2005248469.tif 000002
【特許請求の範囲】
【請求項１】
基準となる定規を貫通したボルトに該定規を挟んで２個のナットを螺合させてボルトを固定する際にナットを回転させるソケットであって、ナットを嵌合して回転力を伝えるナット嵌合部と、前記ナット嵌合部の中心軸方向に一体的に連続し内部にナットを貫通したボルトを収容する収容空間を有する筒部と、前記筒部に形成され回転駆動力が伝達される伝達部と、前記筒部に形成された収容空間に収容されるボルトの長さを規制する規制手段と、を有することを特徴とするソケット。
【請求項２】
前記規制手段が、筒部に形成された収容空間に対し移動可能に且つ固定可能に収容された規制部材と、前記規制部材を筒部に固定する固定部材と、を有して構成されることを特徴とする請求項１に記載したソケット。
【請求項３】
建物の基礎に対し水平に配置された定規に取り付けた複数のアンカーボルトの高さを調整する方法であって、建物の基礎に配置された定規に基準となる高さに設定された基準アンカーボルトを予め配置すると共に該基準アンカーボルトに螺合した２つのナットによって定規を挟み付けて固定しておき、前記基準アンカーボルトの上面側に請求項２に記載したソケットを基準アンカーボルトに嵌合させてナット嵌合部側の端面を定規の上面に当接させ、その後、規制部材を収容空間の内部で移動させて該規制部材を基準アンカーボルトの端部に当接させて固定部材によって筒部に固定した後、ソケットを基準アンカーボルトから離脱させ、次いで、隣接して配置された定規に遊嵌されているアンカーボルトの定規の上面側に螺合したナットにソケットを嵌合し、該アンカーボルトの回転を阻止した状態でソケットを回転させることによりアンカーボルトを定規の上面側に突出させて規制部材に当接させて該アンカーボルトの定規からの高さを調整し、その後、前記アンカーボルトの定規の下面側に螺合したナットの回転を阻止してソケットを回転させて該ナットと定規の上面側のナットとによって定規を挟んで締結することでアンカーボルトの定規からの高さを調整することを特徴とするアンカーボルトの高さ調整方法。
【発明の詳細な説明】
【技術分野】
【０００１】
本発明は、定規を貫通したボルトに螺合させたナットを締め付ける際に、ボルトの定規からの突出寸法を調整し得るようにしたソケットと、このソケットを利用して建物の基礎に埋設される複数のアンカーボルトを一定の高さになるように調整するアンカーボルトの高さ調整方法に関するものである。
【背景技術】
【０００２】
住宅等の鉄骨躯体を有する建物では、躯体を構成する柱は１本毎に複数のアンカーボルトを利用してコンクリート基礎に固定されている。コンクリート基礎に於けるアンカーボルトの位置や取付間隔及び端部のレベル等に対し、予め数値と公差が指定されており、夫々の公差の範囲に納まるような精度の施工が要求されている。
【０００３】
コンクリート基礎を構築する場合、目的の基礎に沿って且つ該基礎の両側に複数の型枠を対向させつつ連続させて配置し、これらの型枠の上部に板状の定規を載置して固定することで、配置された型枠の設置間隔と平行度を確保するようにしている（例えば特許文献１参照）。前記定規に於ける予め設定された柱の取付位置には、柱芯を中心として振り分けたアンカーボルトを挿通するための複数の穴が形成されており、この穴にアンカーボルトを挿通することによって基礎に於けるアンカーボルトの配置位置の精度を確保することが出来る。
【０００４】
定規に挿通された個々のアンカーボルトは、該アンカーボルトに定規を挟んで螺合された２個のナットによって定規を締め付けることで固定される。このとき、定規の上面からアンカーボルトの突出端までの寸法（アンカーの高さ）が予め設定された寸法に調整される。アンカーボルトの高さを調整する手順は、作業員が個々のアンカーボルトの定規から突出した端部をレーザ光線を利用して計測しつつレベルを調整し、且つ設定された高さを保持して作業員が２個のナットを締め付けることで行われる。従って、作業員はアンカーボルトの保持とナットの締め付けを両手で行わなければならない。
【０００５】
また建物が木造住宅では、アンカーボルトで根太を固定するため、アンカーボルトは基礎コンクリートの長さ方向に所定の間隔を持って１本ずつ設置される。このようなアンカーボルトの高さを調整する場合、基礎コンクリートに埋設される鉄筋に締付金具を取り付けておき、この取付金具にアンカーボルトを挿通して保持させるように構成した技術もある（例えば特許文献２参照）。
【０００６】
【特許文献１】実公平６−４５０００号公報
【特許文献１】特開２００２−１７３９４１号公報
【発明の開示】
【発明が解決しようとする課題】
【０００７】
特許文献１に記載された定規に挿通されたアンカーボルトの高さを調整する場合、定規に配置されている全てのアンカーボルトを１本毎にレーザ光によってレベルを計測して調整する作業、この調整した高さを保持して２個のナットを締め付ける作業、を全て手作業で行うため、作業工数が掛かるという問題がある。特に、定規の下面側に配置されているナットを回転させる作業は型枠と定規とによって規定された狭い空間で行うこととなり、作業が困難にならざるを得ないという問題がある。
【０００８】
またアンカーボルトを定規に固定する作業が基本的に手作業であることから、固定された後のアンカーボルトの高さにバラツキが生じることは排除出来ず、公差の範囲を大きくせざるを得ないという問題や、バラツキを小さくするには更に時間が掛かるという問題が派生する。
【０００９】
また特許文献２の技術では、アンカーボルトを基礎の鉄筋に取り付けることとなり、１カ所に複数本のアンカーボルトを配置しておくことが必要な場合には適用し得ないという問題がある。
【００１０】
本発明の目的は、ボルトにナットを締結したとき該ナットからのボルトの突出長さを規制し得るソケットと、このソケットを用いて定規に貫通させたアンカーボルトの高さを調整する高さ調整方法を提供することにある。
【課題を解決するための手段】
【００１１】
上記課題を解決するために本発明に係るソケットは、基準となる定規を貫通したボルトに該定規を挟んで２個のナットを螺合させてボルトを固定する際にナットを回転させるソケットであって、ナットを嵌合して回転力を伝えるナット嵌合部と、前記ナット嵌合部の中心軸方向に一体的に連続し内部にナットを貫通したボルトを収容する収容空間を有する筒部と、前記筒部に形成され回転駆動力が伝達される伝達部と、前記筒部に形成された収容空間に収容されるボルトの長さを規制する規制手段とを有して構成されるものである。
【００１２】
上記ソケットに於いて、規制手段が、筒部に形成された収容空間に対し移動可能に且つ固定可能に収容された規制部材と、前記規制部材を筒部に固定する固定部材と、を有して構成されることが好ましい。
【００１３】
また本発明に係るアンカーボルトの高さ調整方法は、建物の基礎に対し水平に配置された定規に取り付けた複数のアンカーボルトの高さを調整する方法であって、建物の基礎に配置された定規に基準となる高さに設定された基準アンカーボルトを予め配置すると共に該基準アンカーボルトに螺合した２つのナットによって定規を挟み付けて固定しておき、前記基準アンカーボルトの上面側に請求項２に記載したソケットを基準アンカーボルトに嵌合させてナット嵌合部側の端面を定規の上面に当接させ、その後、規制部材を収容空間の内部で移動させて該規制部材を基準アンカーボルトの端部に当接させて固定部材によって筒部に固定した後、ソケットを基準アンカーボルトから離脱させ、次いで、隣接して配置された定規に遊嵌されているアンカーボルトの定規の上面側に螺合したナットにソケットを嵌合し、該アンカーボルトの回転を阻止した状態でソケットを回転させることによりアンカーボルトを定規の上面側に突出させて規制部材に当接させて該アンカーボルトの定規からの高さを調整し、その後、前記アンカーボルトの定規の下面側に螺合したナットの回転を阻止してソケットを回転させて該ナットと定規の上面側のナットとによって定規を挟んで締結することでアンカーボルトの定規からの高さを調整することを特徴とするものである。
【発明の効果】
【００１４】
本発明に係るソケットでは、ナット嵌合部にナットを嵌合させ、筒部に設けた伝達部に回転力を伝達することでナットを回転させることが出来る。このとき、ナットを貫通したボルトを筒部の内部に形成した収容部に収容すると共に規制手段によってボルトの突出長さを規制することが出来る。従って、規制手段の位置を適宜調整することでボルトの定規からの突出長さを好ましい寸法に調整することが出来る。
【００１５】
特に、複数のボルトの定規からの突出長さを全て同じ寸法にして締結するような要求に対して容易に対応することが可能となり、作業性を向上して時間の短縮化をはかることが出来る。
【００１６】
上記ソケットに於ける規制手段を、筒部に形成した収容空間に移動可能に収容された規制部材と、この規制部材を筒部に固定する固定部材とによって構成することで、ボルトの定規からの突出長さを変更する際の作業が容易となり、ボルトの定規からの突出長さを種々変更するような作業に用いて有利である。
【００１７】
また本発明に係るアンカーボルトの高さ調整方法では、予め定規からの高さを予め設定された高さに調整した基準アンカーボルトを基準とし、該基準アンカーボルトに於けるアンカーボルトの定規からの突出長さをソケットに収容した規制部材と固定部材からなる規制手段に転化し、このソケットを用いて隣接した他のアンカーボルトに螺合したナットを回転させることで、アンカーボルトの定規からの高さを容易に調整することが出来る。また定規の上面側のアンカーボルトの定規からの突出長さを調整した後、ソケットを回転させて定規の下面側に螺合したナットを定規の下面に当接させることで、２個のナットによって定規を挟んでアンカーボルトを固定することが出来る。このとき、作業員は片手でソケットを回転させると共に、他方の手で単に定規の下面側に配置されたナットを保持して回転を阻止すれば良く、作業性を向上させて調整時間の短縮化をはかることが出来る。
【００１８】
従って、基準アンカーボルトに隣接したアンカーボルトのレベルをレーザ光を利用して計測する必要がなく、短時間で多数のアンカーボルトの高さを調整することが出来る。特に、定規が水平方向に配置されているため、アンカーボルトの配置方向は垂直方向となり、該アンカーボルトに螺合させたナットを嵌合するソケットの方向も垂直となる。このため、作業方向が下向きとなり、ナットが定規の上面から離隔することがなく、安定した作業を実現することが出来る。
【００１９】
本件発明者等の経験では、本発明に係るアンカーボルトの調整方法を実施した場合、従来の方法と比較して約１／４の時間に短縮することが出来た。
【発明を実施するための最良の形態】
【００２０】
以下、本発明に係るソケットの好ましい形態について説明する。本発明に係るソケットは、自由な状態にあるボルトの基準となる定規からの突出長さを調整するような作業を行うのに有利であり、軸方向にナットを嵌合するナット嵌合部と、ボルトのナットからの突出部分を収容する収容部を内部に形成した筒部と、ソケットを回転させてナットを締結するための回転力を伝達する伝達部と、収容部に収容されるボルトの長さを規制する規制手段を有して構成されるものである。
【００２１】
ナット嵌合部は目的のナットを円滑に嵌合し得るように、該ナットのサイズに応じて形状や寸法が適宜設定される。特に、ナット嵌合部はソケットを回転させたときにナットの側面の一部と当接して回転力を伝える機能を有するものであり、伝えるべき力の大きさに対応した材質や強度を有して形成される。ソケットに於けるナット嵌合部の深さは特に限定するものではなく、目的のナットの厚さよりも大きけれ（深けれ）ば良い。
【００２２】
ナット嵌合部の形状は、目的のナットの形状の相似形であれば良い。即ち、ナットが六角形である場合、ナット嵌合部の形状も六角形であれば良い。しかし、ソケットのナットに対する嵌め合いを円滑に行うには、ナット嵌合部を１２角形の所謂菊型に形成することも可能である。特に、ナットに対し大きな力を伝達することが必ずしも必要でないような場合には、ナット嵌合部を多角形に形成することが好ましい。
【００２３】
筒部はナット嵌合部の軸方向に連続して一体化し、内部にはボルトの突出部分を収容する収容空間が形成されている。収容空間の軸方向の長さは限定するものではなく、予め設定されたボルトのナットからの突出長さを充分に満足し得る寸法であれば良い。また収容空間の断面形状も特に限定するものではなく、ボルトの突出部分を収容し得る形状であれば良く、円形或いは六角形を含む多角形であって良い。従って、収容部はナット嵌合部と同一の形状であっても良く、ナット嵌合部の形状を保持して軸方向に延長することで、該延長部を収容部として形成しても良い。
【００２４】
筒部の外形は特に限定するものではなく、円筒形や六角形を含む多角形であって良い。何れの外形にするかは、製造上の問題として処理することが可能である。また筒部には回転力が伝達される伝達部が形成されている。この伝達部の形状は、ソケットを手動で回転させるか、機械駆動するかに応じて適宜設定することが好ましい。例えば、ソケットを手動で回転させるような場合、筒部の外形の一部をスパナやラチェットレンチを係合させることが可能な形状としておき、またソケットを機械駆動する場合には、筒部の外形の一部を駆動工具と接合する接合部品を着脱可能に取り付ける取付部を形成しておくことが必要である。
【００２５】
ソケットを構成する上記ナット嵌合部及び収容空間は互いに同一軸心上に配置される。即ち、ソケットは外見上、１本の筒状の部材として形成され、該筒状部材の一方側の端部の内部にナット嵌合部が形成され、該ナット嵌合部に連続して収容部が形成される。
【００２６】
規制手段は、ボルトのナットからの突出長さを規制するものであり、この機能を有するものであれば構造を限定するものではない。このような機能を発揮するものとして、例えば筒部材の軸心と一致させたネジ部材やスケール等の指標がある。即ち、規制手段としては必ずしもボルトと当接して規制するものである必要はなく、ボルトの端部を視認して規制するものであっても良い。
【００２７】
特に、規制手段を、筒部に形成された収容空間に移動可能に収容され且つ所定の位置で固定し得るように構成された規制部材と、規制部材を筒部に固定する固定部材と、によって構成することで、操作が容易で円滑な作業を実現することが可能である。
【００２８】
上記の如く構成された規制手段では、規制部材を収容空間の内部で移動させてナット嵌合部の端面からの寸法が予め設定されたボルトのナットからの突出長さと等しくし、この位置で固定部材によって固定することで、ボルトのナットからの突出長さを規制することが可能となり、規制部材の設定を容易に行うことが可能となる。
【００２９】
規制手段を構成する規制部材は、固定部材によって筒部に固定され、ボルトのナットからの突出長さを規制するものである。即ち、ナット嵌合部に嵌合したナットを回転させて相対的にボルトをナットから突出させ、突出したボルトの端部が規制部材に当接したとき、ナットの回転が阻止されることで、ボルトのナットからの突出長さが規制されるため、規制部材のボルトとの当接面には高い押圧力と摩擦が発生することになる。
【００３０】
従って、規制部材を構成する規制部材としては、収容空間の内部を移動し得る形状と寸法を有し、且つボルトの端部と当接したときに作用する押圧力や摩擦力に対し充分な強度を発揮し得る材質を持つものであれば用いることが可能である。このような規制部材としては、鋼製の棒状部材からなり、断面形状が収容空間の形状と等しい円形か六角形を含む多角形であることが好ましい。
【００３１】
固定部材は、規制部材を筒部に固定する機能を有するものであり、この機能を発揮し得るものであれば用いることが可能である。このような機能を発揮し得るものとして、例えば筒体の軸心と一致して配置されて該筒体のナット嵌合部とは反対側に螺合して該筒体を貫通し、且つ先端が規制部材に回転可能に取り付けられているネジ状の部材や、収容空間と対応する筒体を貫通して配置され先端が規制部材に螺合するボルト状の部材を用いることが可能である。
【００３２】
従って、筒体には規定部材の形状に対応して端部にネジ部材を螺合する雌ネジを形成したり、側面にボルト部材を貫通させる長穴を形成することが必要である。
【００３３】
規制部材を固定部材となる筒部の側面に貫通させたボルトによって固定する場合、規制部材の筒部に対する固定は、規制部材の外周面と収容空間の内周面との摩擦に基づく。この場合、収容空間及び規制部材の断面形状が円形であると、両者の径が異なることから点接触となり、高い摩擦抵抗を発揮し得ない虞があるため、規制部材の外周面にローレット加工或いは他の摩擦抵抗が大きくなるような表面加工や表面処理を施すことが好ましい。また収容部空間び規制部材の断面形状が六角形を含む多角形である場合、両者が面接触するため、適度な摩擦を発揮することが可能となり好ましい。
【００３４】
本発明に係るアンカーボルトの高さ調整方法は、住宅の建築現場に於ける基礎工事に際し、型枠の上部に取り付けた定規に該定規を挟んで２個のナットを螺合させた複数のアンカーボルトを挿通しておき、予め１本のアンカーボルトを予め設定された高さに調整して基準アンカーボルトとした後、隣接する他のアンカーボルトを基準アンカーボルトの高さに合わせて調整するものであり、この過程で、筒部の内部に形成された収容空間に規制部材を移動可能に収容したソケットを用いるものである。
【００３５】
この調整方法では、１本の柱を４本のアンカーボルトで固定する部位では、１本の基準アンカーボルトに対してレーザ光によるレベル調整を行う必要があるものの、他の３本のアンカーボルトを調整する際には、基準アンカーボルトの定規の上面側の突出寸法に合わせて、ソケットの収容空間に収容された規制部材の位置を設定して固定することで、該規制部材の位置に転化することが可能となる。
【００３６】
従って、他のアンカーボルトに対し、定規の上面側から下向きにソケットを嵌め込み、アンカーボルトの回転を阻止して回転させることで、該アンカーボルトを相対的にナットから突出させることが可能となる。そしてアンカーボルトの突出端が規制部材の端面と当接したとき、アンカーボルトとナットはソケットを介して一体化し、相対的な回転が阻止され、これにより、アンカーボルトのナットからの突出長さを規制することが可能となる。このため、ナットを定規に当接させたとき、アンカーボルトの定規からの高さは基準アンカーボルトの定規からの高さと等しくなる。
【００３７】
次いで、定規の下面側に螺合したナットの回転を阻止してソケットを回転すると、定規の上面側のナットとアンカーボルトが同時に回転し、この回転に伴って定規の下面側のナットが上昇して定規の下面に当接する。これにより、基準アンカーボルトに隣接した他のアンカーボルトの高さを調整すると共に２個のナットで定規に固定することが可能となる。
【実施例１】
【００３８】
次に本発明に係るソケットの第１実施例について図を用いて説明する。図１は第１実施例に係るソケットＡの構成を説明する図である。
【００３９】
図に示すように、ソケットＡは外形が円筒状に形成された本体１を有しており、該本体１の一方側の端部（下端、以下第２実施例〜第４実施例も同じ）に目的のナットを嵌合するナット嵌合部２が形成され、ナット嵌合部２の軸心（本体１の軸心１ａ）と一致し且つ連続してナットから突出したボルトを収容する収容空間３が形成されている。
【００４０】
従って、本体１に於ける収容空間３を形成した部位が筒部となるが、本実施例では筒部が本体１に含まれて形成されていることとなり、以下、筒部を説明する際には本体１として取り扱うものとする。また本体１の外周面は平滑な面であっても良いが、本実施例では手で持ち易いように、ダイヤモンド状の突起が連続的に形成されている。このように、本体１の外周面にダイヤモンド状の突起を形成しておくことで、後述するつまみ５ａを締め付けたとき、良好な締め付け状態を得ることが可能となる。
【００４１】
また収容空間３には、規制手段を構成する規制部材４が移動可能に配置されると共に、該規制部材４を本体１に固定する固定部材５が配置されている。更に、本体１の他方側の端部（上端、以下第２実施例〜第４実施例も同じ）に於ける端面には、回転力が伝達される伝達部６が形成されている。
【００４２】
ナット嵌合部２は、同図に二点鎖線で示すナット２０を嵌合して該ナット２０に回転力を伝え得るように、ナット２０の厚さ方向の側面或いは角部と係合し得るように構成されている。このナット嵌合部２は断面形状がナット２０の形状である六角形に形成されている。
【００４３】
収容空間３は、ナット嵌合部２の形状がそのまま延長されて形成されている。収容空間３の深さは一義的に設定されるものではなく、同図に二点鎖線で示す、予め設定されたボルト２１のナット２０からの突出長さ（本体１のナット嵌合部２側の端面からのボルトの寸法）と、規制部材４の長さ、及び規制部材４の位置を調整する際に必要な予備的な寸法等の寸法を考慮した上で適宜設定される。
【００４４】
規制部材４は断面が六角形の棒状の部材によって構成されており、長さ方向の所定位置に軸心を横断する方向にネジ部４ａが形成されている。また固定部材５はつまみ５ａとネジ５ｂとを有して構成されており、ネジ５ｂを規制部材４のネジ部４ａに螺合して締め付けることで、規制部材４を収容空間３の内面に圧接させて固定することが可能である。
【００４５】
上記の如く、本実施例では規制部材４には固定部材５のネジ５ｂが螺合され、この状態で収容空間３の内部を移動する。従って、固定部材５のネジ部５ｂも本体１の軸心１ａに沿って移動することとなり、該本体１の側面であって収容空間３に対応する部分にはネジ５ｂを貫通させる長穴１ｂが形成されている。
【００４６】
また固定部材５を締め付けて収容空間３に圧接させた規制部材４が、振動や衝撃によって簡単に緩むことがないように、固定部材５のつまみ５ａと本体１の外周面との間に緩み止め機能を持った、例えばゴムパッキンや、スプリングワッシャー等の緩衝部材７が配置されている。この緩衝部材７がゴムパッキンのような部材である場合、一方の面を本体１の外径に対応させた円弧状に形成し、他方の面を平坦面とすることが好ましい。また緩衝部材７がスプリングワッシャーのような部材である場合、一方の面が本体１の外径に対応させた円弧状に形成され他方の面が平坦面に形成された座金を設け、この座金とつまみ５ａとの間に緩衝部材７を配置することが好ましい。
【００４７】
本体１の他方側に形成された伝達部６は、ソケットＡを回転駆動する際の駆動力が伝達される部位であり、駆動力の発生手段や駆動力を伝導する工具等の形状に対応した形状を持って形成される。このため、伝達部６の形状は一義的に設定されるものではない。例えば本実施例では、駆動力の発生手段としてトルクレンチ或いはインパクトレンチ等の駆動工具を用いている。このため、伝達部６は前記駆動工具の回転力を伝導する伝導工具８を用いている。この伝導工具８は、ソケットレンチを回転させる工具としては一般的に用いられるものである。
【００４８】
伝達部６としては上記構成の他に、手動操作される六角レンチを嵌合し得るように六角形の穴としたもの、手動操作されるスパナを係止し得るように本体１の外周を六角形としたもの等であっても良い。
【００４９】
上記の如く構成されたソケットＡでは、予め設定された位置に規制部材４を移動させて固定部材５によって固定しておき、ナット嵌合部２にナット２０を嵌合して回転させると、ナット２０がボルト２１に螺合して相対的に該ボルト２１が収容空間３に突出し、ボルト２１の端部が規制部材４の端面４ｂと当接したとき、ナット２０とボルト２１との相対的な回転が阻止される。これにより、ボルト２１のナット２０からの突出長さを規制することが可能である。
【実施例２】
【００５０】
次に第２実施例に係るソケットＢの構成について図２，図３により説明する。尚、前述の第１実施例と同一部分及び同一の機能を有する部分には同一の符号を付して説明を省略する（以下同じ）。
【００５１】
図に示すソケットＢは、本体１が、外形が六角形に形成された棒状の部材によって形成され、上端面にはソケットＢを回転駆動する駆動力が伝達される伝達部９が形成されている。この伝達部９は、本体１の上端面に一体的に形成されたシャンク状の部材として形成されており、この伝達部９を駆動工具のチャックによって把持することで、駆動力を伝達し得るように構成されている。特に、図３に示すように、規制部材４に形成されるネジ部４ａは、該規制部材４の長手方向の中心から一方側に偏った位置に形成されている。
【００５２】
上記の如く構成されたソケットＢでは、ボルトのナットからの突出長さの変化に応じて規制部材４の収容空間３に対する収容姿勢を、例えばネジ部４ａを上端側とするか下端側とすることで、収容空間３の長さを有効利用することが可能となる。
【実施例３】
【００５３】
次に第３実施例に係るソケットＣの構成について図４により説明する。
【００５４】
図に示すソケットＣは、本体１の下端側にナットの厚さよりも長い深さを持ったナット嵌合部２が形成され、このナット嵌合部２から連続して且つ軸心１ａに一致して収容空間３が形成されている。本実施例では、収容空間３の形状はナット嵌合部２の形状とは異なり、円形の空間として形成されている。
【００５５】
本体１の上端側の端面には軸心１ａと一致して雌ネジ１ｃが形成され、この雌ネジ１ｃに規制手段を構成するネジ部材１０が螺合している。またネジ部材１０には緩み止め用のナット１１が螺合しており、更に、ネジ部材１０の上端に伝達部９が形成されている。
【００５６】
上記の如く構成されたソケットＣでは、ネジ部材１０の本体１に対する螺合長さを調整することで、収容空間３に於けるネジ部材１０の下端面１０ａの位置を調整することが可能である。そして収容空間３に於けるネジ部材１０の下端面１０ａの位置を設定した後、ナット１１を本体１の上端面に締結することで、ネジ部材１０を本体１に固定し、伝達部９に回転力を伝達することで、ソケットＣを回転させることが可能である。
【００５７】
従って、ソケットＣのナット嵌合部にナットを嵌合し、伝達部９を駆動工具のチャックに把持して回転させることで、ナットを螺合したボルトを相対的に突出させて収容空間３に収容し、ボルトの端部がネジ部材１０の下端面１０ａと当接したとき、ナット２０とボルト２１との相対的な回転が阻止される。これにより、ボルト２１のナット２０からの突出長さを規制することが可能である。
【実施例４】
【００５８】
次に第４実施例い係るソケットＤの構成について図５により説明する。
【００５９】
図に示すソケットＤは、本体１の下端にナットの厚さと略等しい深さを持ったナット嵌合部２が形成され、このナット嵌合部２に連続して且つ軸心に一致して収容空間３が形成されている。収容空間３は、ナット嵌合部２とは形状が異なり、円形の空間として形成され、また寸法もナット嵌合部２よりも小さく形成されている。
【００６０】
また固定部材５は蝶ボルトを用いており、前述の第１，第２実施例に於ける六角ボルトを用いた固定部材とは異なるが、実質的な機能は同じである。即ち、固定部材５は、形状を限定することなく、固定作業を容易に行うことが可能なように形成されたものを用いることが好ましい。
【００６１】
上記の如く構成されたソケットＤであっても、前述の各実施例と同様にボルトのナットからの突出長さを規制することが可能である。
【実施例５】
【００６２】
次に、上記の如く構成されたソケットを用いてアンカーボルトの定規からの高さを調整する方法について図６により説明する。本発明に係る方法を実施する場合、ソケットは前述のソケットＡ〜Ｄの何れを用いても良い。このため、図６では模式的なソケットＥとして記載している。
【００６３】
図６（ａ）に於いて、定規３２は鉄骨躯体を有する住宅等の建物のコンクリート基礎を構築する際に、図示しない型枠の上端部分に水平に載置されると共に固定されることで、型枠の平行度を確保し、且つ建物に設定された柱の取付位置にアンカーボルト複数本（例えば４本）を配置するための穴が形成されている。従って、コンクリートを打設するのに先立って、定規に形成された穴にアンカーボルトを挿通して夫々のアンカーボルトの定規からの高さを調整しておくことで、精度の高いアンカーボルトを実現することが可能である。
【００６４】
しかし、定規は型枠の平行度やアンカーボルトの配置位置からなる平面上の精度を確保するものであり、高さ方向の精度を保証するものではない。また、基礎コンクリートは型枠上端部より少し低い位置で打ち上がり高さが設定されるため、型枠に配置される定規は水平性を保持すれば良く、必ずしも高さが一定である必要はない。つまり、一つの建築物に於いて多数ある柱のアンカーボルトは、その柱位置毎に、定規からの突出高さが異なる場合もあるが、次工程で施工される基礎コンクリート天端からの突出長さは全てのアンカーボルトで一定であることが好ましい。このためには柱位置毎に、アンカーボルトの突出長さを決定しておく必要があり、このような作業を、本発明のソケットを用いることで容易に行うことが可能となる。
【００６５】
定規３２には予め突出端のレベルが設定された基準アンカーボルト３５が設けられている。この基準アンカーボルト３５は、予めアンカーボルト３１の定規３２の上面からのレベルがレーザ光等によって設定された状態で２個のナット３０（定規の上面側に配置されたナット），３３（定規の下面側に配置されたナット）によって該定規３２に固定されている。
【００６６】
先ず、ソケットＥの固定部材５を緩めて規制部材４を緩めた状態で上端側に移動させておき、このソケットＥを基準アンカーボルト３５の定規３２の上面側に対向させてナット３０をナット嵌合部２に嵌合する。このとき、規制部材４はアンカーボルト３１の突出端よりも上方に位置した状態を保持する。
【００６７】
次に、同図（ｂ）に示すように、ソケットＥの固定部材５を緩め、規制部材４を下降させてアンカーボルト３１の突出端部に当接させる。このとき、ソケットＥの下端面が正確に定規３２の上面に当接していることを確認する。その後、規制部材４がアンカーボルト３１の突出端に当接した状態で、固定部材５を操作して規制部材４を本体１（筒部）に固定する。これにより、ソケットＥに於けるナット嵌合部２の下端面と規制部材４の下端面との間の寸法は基準アンカーボルト３５を構成するアンカーボルト３１の定規３２の上面からの突出長さと等しく設定されたことになる。
【００６８】
次に、同図（ｃ）に示すように、ソケットＥを基準アンカーボルト３５に隣接する単に定規３２に装着されて吊り下げられているアンカーボルト３６の定規３２の上面側に対向させて、ナット３０をナット嵌合部２に嵌合する。そして、手でアンカーボルト３１を把持して該アンカーボルト３１の回転を阻止し、この状態でソケットＥを回転させると、ソケットＥの回転に伴って、アンカーボルト３１は直線的に矢印方向に上昇する。
【００６９】
アンカーボルト３１の上昇は同図（ｄ）に引き続き、同図（ｅ）に示すように、アンカーボルト３１が規制部材４に当接したとき、該アンカーボルト３１とナット３０との間の相対的な回転が阻止され、アンカーボルト３１の定規３２からの突出長さが基準アンカーボルト３５の突出長さと等しくなる。即ち、隣接するアンカーボルト３６の定規３２からの高さが予め設定された高さに調整されたこととなる。
【００７０】
次に、同図（ｆ）に示すように、定規３２の下面側に配置されたナット３３の回転を手で阻止してソケットＥを回転させると、ソケットＥの回転に伴ってナット３０とアンカーボルト３１が同時に回転し、これにより、ナット３３は矢印方向に上昇する。
【００７１】
引き続くソケットＥの回転に伴ってナット３３は定規３２の下面に当接し、該定規３２の上面側に配置されたナット３０と共に定規３２を挟んで締め付けることで、同図（ｇ）に示すように、アンカーボルト３１が定規３２に固定される。ナット３３によって定規３２を２個のナット３０，３３で挟んで締め付ける際に、ソケットＥを常に定規３２の上面側に押し付けておくことで、ナット３０が定規３２の上面から離隔することがなく、従って、アンカーボルト３１の定規３２からの高さが変動することがない。
【００７２】
上記の如き本実施例では、定規３２が型枠の上端部分に水平に載置され、アンカーボルト３１は垂直方向に配置される。従って、ソケットＥのナット嵌合部２を常に下向きにして作業を進行することが可能であり、ナット嵌合部２に嵌合したナット３０が軸方向に移動することがなく、ナット３０からのアンカーボルト３１の突出長さを精度良く設定することが可能となる。またアンカーボルト３１の高さを調整する作業が全て下向きで行えるため、即ち、回転を与えるのは定規の上方のにの作業となり、定規の下方は手でナット等の回転を阻止する作業のみとなるため作業性が向上する。
【産業上の利用可能性】
【００７３】
本発明に係るソケットは、ボルトのナットからの突出長さを一定の値とするような作業に利用することが可能であり、例えば両端部分にネジが形成されたネジ棒の一方側の端部を設定するような作業を容易に行うことが可能となる。
【００７４】
また本発明に係るアンカーボルトの高さ調整方法は、必ずしも１カ所に複数本のアンカーボルトを配置するような基礎でなくとも適用することが可能である。
【図面の簡単な説明】
【００７５】
【図１】第１実施例に係るソケットＡの構成を説明する図である。
【図２】第２実施例に係るソケットＢの構成を説明する図である。
【図３】ソケットＢの本体と規制部材の構成を説明する斜視図である。
【図４】第３実施例に係るソケットＣの構成を説明する図である。
【図５】第４実施例に係るソケットＤの構成を説明する図である。
【図６】アンカーボルトの定規からの高さを調整する手順を説明する図である。
【符号の説明】
【００７６】
Ａ〜Ｅ                  ソケット
１                      本体
１ａ                    軸心
１ｂ                    長穴
１ｃ                    雌ネジ
２                      ナット嵌合部
３                      収容空間
４                      規制部材
４ａ                    ネジ部
５                      固定部材
５ａ                    つまみ
５ｂ                    ネジ
６                      伝達部
７                      緩衝部材
８                      伝導工具
９                      伝達部
１０                    ネジ部材
１０ａ                  下端面
１１                    ナット
２０                    ナット
２１                    ボルト
３１                    アンカーボルト
３２                    定規
３０，３３              ナット
３５                    基準アンカーボルト
３６                    隣接するアンカーボルト
【図１】
2005248469.tif 000003
【図２】
2005248469.tif 000004
【図３】
2005248469.tif 000005
【図４】
2005248469.tif 000006
【図５】
2005248469.tif 000007
【図６】
2005248469.tif 000008